(57)【要約】【課題】  走行機体の内部から前方へ向けて気流が排出されても、この気流によって散布部からの散布に悪影響が及ぶことのない走行散布機を提供する。【解決手段】  走行機体４と、該走行機体４の前方に設けられる散布部１４と、前記走行機体４に設けられる送風手段２１と、該送風手段２１によって創出されて前記走行機体４の前方へ向けて排出される気流Ａを前記散布部１４から逸らせる気流ガイド２２，２５と、を備える。この構成により、送風手段２１によって創出されて走行機体４の前方へ向けて排出される気流Ａが、気流ガイド２２，２５によって散布部１４から逸れるように案内される。このため、前記気流Ａによって散布部１４からの散布に悪影響が及ぶことがない。【選択図】    図３
2018121577.tif 000002
【特許請求の範囲】
【請求項１】
走行機体と、該走行機体の前方に設けられる散布部と、前記走行機体に設けられる送風手段と、該送風手段によって創出されて前記走行機体の前方へ向けて排出される気流を前記散布部から逸らせる気流ガイドと、を備える、走行散布機。
【請求項２】
前記走行機体の前部にエンジンが搭載され、該エンジンの前方位置にラジエータと冷却用ファンとが配設され、前記送風手段が前記冷却用ファンである、請求項１に記載の走行散布機。
【請求項３】
前記散布部の上下位置が所定の高さ範囲で変更可能であって、前記散布部の上下位置の変更にかかわらず有効に作用するように前記気流ガイドが配設される、請求項１又は２に記載の走行散布機。
【請求項４】
前記走行機体上で前記散布部を支持して該散布部の上下位置変更を可能にするリフト装置を備え、前記散布部が最下降位置にあるときに前記気流ガイドがほぼ水平状態となるように前記リフト装置に前記気流ガイドが固定され、前記リフト装置の作動で前記散布部が上昇するにつれて前記気流ガイドが立ち上がって気流逸らし作用が奏される、請求項１，２又は３に記載の走行散布機。
【発明の詳細な説明】
【技術分野】
【０００１】
本発明は、走行しながら薬剤等の散布を行う走行散布機に関するものである。
【背景技術】
【０００２】
走行散布機の一例として、乗用式の走行機体の前方に下向きの散布部を備え、前記走行機体に搭載された水冷式のエンジンで走行しながら、前記散布部から農作物に対して防除用の薬剤等の散布を行うものが知られている（特許文献１参照）。
【０００３】
このような走行散布機においては、特許文献１の００１５段落及び図４にも記載されているように、走行機体の前部のエンジンルーム内において、エンジンの後方位置に冷却用ファンが配設され、このファンの後方位置にラジエータが配置される。そして、前記冷却用ファンの駆動によりボンネットの外側から外気を吸い込み、この外気をラジエータに当てて冷却水を冷却する。ラジエータに当たった気流は、前記ボンネットの正面及び側面のスリットからエンジンルーム外へと排出される。
【先行技術文献】
【特許文献】
【０００４】
【特許文献１】特開２００１−３０１６６８号公報
【発明の概要】
【発明が解決しようとする課題】
【０００５】
前記従来の構成によれば、前記ボンネットの正面から走行機体の前方へと排出される冷却風によって、散布部から噴出した薬剤等の噴霧粒子が吹き飛ばされてしまい、薬剤等の散布の実効性が阻害されるという問題がある。
【０００６】
また、ラジエータと冷却用ファンとが標準位置とは逆のエンジンの後方に配置されているので、エンジンとラジエータとを連結する冷却水流路の取り回しと、エンジンと冷却用ファンとを作動上連結する冷却用ファン駆動経路の取り回しとが複雑になり、エンジンルーム内における冷却装置の組み立て性やメンテナンス性が悪いという問題がある。
【０００７】
本発明は、前記のような事情に鑑みてなされたもので、走行機体の内部から前方へ向けて気流が排出されても、この気流によって散布部からの散布に悪影響が及ぶことのない走行散布機を提供しようとするものである。
【０００８】
さらに、本発明は、エンジンとラジエータとの間の冷却水の流通経路と、エンジンと冷却用ファンとの間の駆動経路とを、共にシンプルでコンパクトなものにすることができる走行機体を提供しようとするものである。
【課題を解決するための手段】
【０００９】
前記課題を解決するため、本発明に係る走行散布機は、走行機体と、該走行機体の前方に設けられる散布部と、前記走行機体に設けられる送風手段と、該送風手段によって創出されて前記走行機体の前方へ向けて排出される気流を前記散布部から逸らせる気流ガイドと、を備えることを特徴とする（請求項１）。
【００１０】
本発明によれば、走行機体を走行させながら散布部から散布を行うことができる。散布作業中には、送風手段によって創出されて走行機体の前方へ向けて排出される気流が、気流ガイドによって散布部から逸れるように案内される。このため、前記気流によって散布部からの散布に悪影響が及ぶことがない。
【００１１】
気流ガイドによる気流の案内方向（逸らせ方向）は、散布部の配設位置や散布部からの散布の方向等に応じて適宜に設定することができる。例えば、散布部から下向きに散布が行われる場合には、気流ガイドによって走行機体の上方又は左右外方へと気流が案内されるようにするのが好ましい。
【００１２】
好適な実施の一形態として、前記走行機体の前部にエンジンが搭載され、該エンジンの前方位置にラジエータと冷却用ファンとが配設され、前記送風手段が前記冷却用ファンである態様とすることもできる（請求項２）。
【００１３】
この場合、エンジンの前方位置にラジエータと冷却用ファンとが配設されるので、エンジンとラジエータとの間の冷却水の流通経路と、エンジンと冷却用ファンとの間の駆動経路とを、共にシンプルでコンパクトなものにすることができる。また、エンジンの後方に冷却用ファンがある前記従来の配置に比べて、冷却風が効率良く流れるので冷却効率も向上する。
【００１４】
前記態様では、冷却用ファンがエンジンの前方位置にあるので、冷却用ファンで創出される気流が走行機体の内部から前方へ向けて強く吹き出す。しかし、前記気流ガイドが配設されているので、散布部からの散布に悪影響が及ぶ心配はない。
【００１５】
好適な実施の一形態として、前記散布部の上下位置が所定の高さ範囲で変更可能であって、前記散布部の上下位置の変更にかかわらず有効に作用するように前記気流ガイドが配設される態様とすることもできる（請求項３）。
【００１６】
この場合、散布部の上下位置を適宜に変更することで、散布現場の状況や散布物の種類に応じた最も適切な散布を行うことができる。また、散布部の上下位置の変更にかかわらず前記気流ガイドが有効に作用するので、気流による散布への悪影響を気にすることなく、散布部の上下位置を所定の高さ範囲内で自由に変更することができる。
【００１７】
好適な実施の一形態として、前記走行機体上で前記散布部を支持して該散布部の上下位置変更を可能にするリフト装置を備え、前記散布部が最下降位置にあるときに前記気流ガイドがほぼ水平状態となるように前記リフト装置に前記気流ガイドが固定され、前記リフト装置の作動で前記散布部が上昇するにつれて前記気流ガイドが立ち上がって気流逸らし作用が奏されるようにすることもできる（請求項４）。
【００１８】
この場合、散布部が最下降位置にあるときには気流ガイドがほぼ水平状態となるので、気流ガイドによって下方への出っ張りが形成されることがない。よって、走行機体の走行時に気流ガイドが邪魔になることがない。一方、リフト装置の作動で散布部が上昇するにつれて気流ガイドが立ち上がり、気流ガイドによる気流逸らし作用が奏される。よって、散布部を上昇させて行う散布の際に、走行機体の内部から排出される気流によって悪影響が及ぶことがない。
【図面の簡単な説明】
【００１９】
【図１】本発明の実施の一形態に係る走行散布機の全体斜視図である。
【図２】図１の走行散布機の前部の内部を開示した斜視図である。
【図３】図１の走行散布機において、走行機体の前部の内部を簡略化して示した側面図である。ブームを最下降位置まで下げた状態が二点鎖線で、ブームを最上昇位置まで上げた状態が実線で示してある。
【図４】図３において、ブームを最下降位置まで下げた状態の斜視図である。
【図５】図３において、ブームを最上昇位置まで上げた状態の斜視図である。
【図６】本発明の他の実施の形態の要部簡略側面図である。
【図７】本発明の他の実施の形態の要部簡略平面図である。
【発明を実施するための形態】
【００２０】
以下、添付図面を参照して、本発明の実施の形態について説明する。
【００２１】
まず、図１を参照して、本発明の実施の一形態に係る走行散布機の全体構成を説明する。図１の走行散布機１は、一例として農作業用の散布機であり、圃場を走行しながら農作物に対して薬剤等を散布するためのものである。
【００２２】
図１の走行散布機１は、前輪２，２と後輪３，３とによって前後走行自在とされた乗用式の走行機体４を備える。運転者は、運転席５に腰を下ろして、ステアリングハンドル６や各種の操作レバー７等の操作部材を操作しながら走行散布機１の運転を行う。
【００２３】
走行機体４の前部には、平行リンケージ式のリフト装置８を介して、ブーム式の散布部材９が上下動可能に支持されている。散布部材９は、リフト装置８に水平に固定される中央ブーム１０と、この中央ブーム１０の左右両端に折り畳み自在に連結される左ブーム１１と右ブーム１２とを備える。各ブーム１０，１１，１２にはノズル管１３が支持され、各ノズル管１３には散布部となる多数の散布ノズル１４が所定の間隔で配設されている。各ノズル管１３は、図示しない散布用ポンプを介して、運転席５の後方で走行機体４に搭載された薬液タンク１５に連通する。
【００２４】
前記左右ブーム１１，１２は、走行機体４の左右両側に沿って延びる折り畳み位置（図１に示す位置）と、中央ブーム１０から走行機体４の左右外方へと延びる展張位置と、に姿勢変更可能である。散布作業時には左右ブーム１１，１２が展張位置に固定される。これにより、走行機体４を走行させながら幅広の散布を行うことができる。散布に当たっては、前記リフト装置８によって前記散布部材９を上下動させることにより、所定の高さ範囲で散布地上高を適宜に変更することができる。散布地上高の変更は、図２に示すように、走行機体４とリフト装置８との間に架設される左右一対の直線動式のアクチュエータ１６（図２には走行機体４の左側のアクチュエータのみ図示）によって制御される。
【００２５】
一方、走行散布機１の非散布移動時や倉庫への収納時等には、左右ブーム１１，１２が図１に示す折り畳み位置に固定される。これにより、非散布移動時や収納時等に左右ブーム１１，１２が邪魔になることがない。左右ブーム１１，１２の姿勢変更は、中央ブーム１０と左右の各ブーム１１，１２との間にそれぞれ架設される図示しない直線動式のアクチュエータによって制御される。
【００２６】
前記走行機体４の前部には、ボンネット１７によってエンジンルーム１８が画成される。このエンジンルーム１８内には、図２に示すように、水冷式の内燃エンジン１９が配設される。このエンジン１９は、走行機体４の後輪３，３を駆動するほか、散布用ポンプや、前記アクチュエータ１６に動力を供給するためのポンプ等を駆動する。エンジン１９の前方にはラジエータ２０が配設されている。ラジエータ２０がエンジン１９の前方であってエンジン１９に近い位置に配設されるので、ラジエータ２０とエンジン１９との間の冷却水の流通経路をシンプルでコンパクトなものにすることができる。
【００２７】
図３に示すように、ラジエータ２０とエンジン１９との間には、送風手段としての冷却用ファン２１が配設される。この冷却用ファン２１もエンジン１９によって駆動される。冷却用ファン２１は走行機体４の前方へと送風を行い、ラジエータ２０に風を当てて冷却水を冷却する。冷却用ファン２１がエンジン１９の前方であってエンジン１９に近い位置に配設されるので、エンジン１９と冷却用ファン２１との間の駆動経路をシンプルでコンパクトなものにすることができる。
【００２８】
冷却用ファン２１によって創出される気流Ａは、ラジエータ２０を通過してボンネット１７の前部開口１７ａより前方へと排出される。ここで、何らの措置も講じないと、ボンネット１７の前部開口１７ａから排出される気流Ａが前記中央ブーム１０の散布ノズル１４からの散布に悪影響を与える心配がある。すなわち、前記気流Ａが中央ブーム１０の散布ノズル１４から作物に向けて噴霧される液滴を吹き飛ばしてしまい、薬液等の散布効果が得られないという事態が生ずる心配がある。そこで、本実施の形態では、走行機体４の内部から前方へ向けて排出される気流Ａを前記中央ブーム１０の散布ノズル１４から逸らせるための第一の気流ガイド２２を設けてある。
【００２９】
この第一の気流ガイド２２は、図２及び図３に示すように、ラジエータ２０の前面に固着されている。第一の気流ガイド２２は、上下複数段の導風板２３と、これらの導風板２３を支持する枠体２４と、を備える。各導風板２３の左右両端が枠体２４に固着されており（図２参照）、各導風板２３の上面がラジエータ２０の前面から走行機体４の前方へと斜め上方に傾斜して延びている（図３参照）。
【００３０】
図３に示すように、冷却用ファン２１によって創出されて前方へ向けて排出される気流Ａは、ラジエータ２０を通過した後、第一の気流ガイド２２の各導風板２３に案内されることにより、中央ブーム１０の散布ノズル１４からの噴霧を避けて、走行機体４の前方斜め上方Ｆ１へと吹き抜ける。このため、走行機体４の前方に位置する中央ブーム１０の散布ノズル１４からの噴霧に悪影響が及ぶことが防止される。
【００３１】
ところで、本実施の形態では、リフト装置８の作用によって散布地上高が所定の高さ範囲Ｈ内で変更可能とされている。このため、所定の高さ範囲Ｈ内で散布地上高が変更された場合でも、走行機体４内から排出される気流Ａによって散布に対して悪影響が及ぶことのないようにする必要がある。そこで、中央ブーム１０の散布ノズル１４の上下位置の変更にかかわらず有効に作用するように前記第一の気流ガイド２２を配設する。
【００３２】
図３には、散布部材９を最下降位置まで下げたリンク装置８の状態が二点鎖線で、散布部材９を最上昇位置まで上げたリンク装置８の状態が実線で示してある。図３から明らかなように、散布部材９を最上昇位置まで上げた状態で散布を行っても、前記第一の気流ガイド２２の作用で、走行機体４内から排出される気流Ａが散布ノズル１４を避けるように斜め上方Ｆ１へと逸らされるので、散布ノズル１４からの散布に悪影響は及ばないものと考えられる。その一方で、第一の気流ガイド２２の中で最も下側の導風板２３で案内される気流が上下に拡散して進行すると、その一部が散布ノズル１４からの散布を乱してしまう事態も予測される。
【００３３】
そこで、本実施の形態では、第一の気流ガイド２２を通過した気流が上昇位置にある散布ノズル１４からの散布の障害となることを確実に防止するために、第二の気流ガイド２５を設けてある。この第二の気流ガイド２５は、上昇位置にある散布ノズル１４と第一の気流ガイド２２との間に位置して、第一の気流ガイド２２から漏れた気流を上昇位置にある散布ノズル１４から逸らせるか、又は遮断するように作用する。
【００３４】
図３に示すように、第二の気流ガイド２５は、リフト装置８の作動で中央ブーム１０の散布ノズル１４が最下降位置に来たときにほぼ水平状態となるようにリフト装置８に固定されている。そして、リフト装置８の作動で中央ブーム１０の散布ノズル１４が上昇するにつれて第二の気流ガイド２５が立ち上がって気流逸らし作用又は気流遮断作用が奏されるようになる。
【００３５】
第二の気流ガイド２５は、図４及び図５に示すように、リフト装置８の作動の邪魔にならず、且つ、気流逸らせ作用又は気流遮断作用が有効に奏されるだけの面積を有する薄板体で構成される。
【００３６】
本実施の形態では、リフト装置８によって散布ノズル１４の上下位置を適宜に変更することで、作物の背丈や散布物の種類に応じた最も適切な散布を行うことができる。また、中央ブーム１０の散布ノズル１４の上下位置の変更にかかわらずに前記第一の気流ガイド２２が有効に作用するので、排出される気流Ａによる散布への悪影響を気にすることなく、散布ノズル１４の上下位置を所定の高さ範囲Ｈ内で自由に変更することができる。
【００３７】
また、中央ブーム１０の散布ノズル１４が最下降位置にあるときには第二の気流ガイド２５がほぼ水平状態となるので、第二の気流ガイド２５によって下方への出っ張りが形成されることがない。よって、第二の気流ガイド２５が作物に接触することが防止できる。一方、リフト装置８の作動で散布ノズル１４が上昇するにつれて第二の気流ガイド２５が立ち上がり、第二の気流ガイド２５による気流逸らし作用又は気流遮断作用が奏される。よって、散布ノズル１４を上昇させて行う散布の際に、走行機体４の内部から排出される気流Ａによって悪影響が及ぶことが確実に防止できる。
【００３８】
本実施の形態では、第一の気流ガイド２２と第二の気流ガイド２５とを設けて、走行機体４内から排出される気流Ａを二段階で中央ブーム１０の散布ノズル１４から逸らせるようにしてある。これに代えて、図６に示すように、ラジエータ２０の前方に面積の大きな一枚板の気流ガイド２６を固定し、この単一の気流ガイド２６で前方斜め上方Ｆ２への気流逸らせ作用が奏されるようにすることもできる。
【００３９】
その他、本発明の他の実施の形態として、次のような態様も採用可能である。
【００４０】
（１）液体を散布する走行散布機には限らず、粉粒体を散布する走行散布機にも適用可能である。
【００４１】
（２）走行機体４の内部から外部へ向けて排出される気流Ａは、ラジエータ２０に送風を行うための冷却用ファン２１によって創出されるものには限定されない。走行機体に設けられる他の送風手段からの気流に対しても前記気流ガイド２２，２５，２６を適用可能である。
【００４２】
（３）気流ガイドによる気流逸らせ方向は、走行機体４の前方斜め上方には限定されない。例えば、図１に示した走行散布機１の場合、ラジエータ２０の前方に、上から見て図７に示すような気流ガイド２７を設けることもできる。この気流ガイド２７は、走行機体４内から排出される気流Ａを走行機体１の左右の外方Ｆ３へ逸らせるように作用する。
【００４３】
（４）リフト装置８の態様は、平行リンケージ式のものには限定されない。散布部（散布ノズル１４）を直線的に上下動させる形式のものであってもよい。
【００４４】
（５）前記第二の気流ガイド２５のみで散布ノズル１４の上下位置の全範囲に対して気流逸らせ作用が奏されるように第二の気流ガイド２５の面積を大きくし、前記第一の気流ガイド２２を廃止することもできる。
【符号の説明】
【００４５】
４    走行機体
８    リフト装置
１４  散布部
１９  エンジン
２０  ラジエータ
２１  送風手段（冷却用ファン）
２２，２５，２６，２７  気流ガイド
Ａ    気流
Ｈ    所定の高さ範囲
【図１】
2018121577.tif 000003
【図２】
2018121577.tif 000004
【図３】
2018121577.tif 000005
【図４】
2018121577.tif 000006
【図５】
2018121577.tif 000007
【図６】
2018121577.tif 000008
【図７】
2018121577.tif 000009